(57)【要約】      （修正有）【課題】ポリエチレンフィルムを用いた袋であり、リップ付きの袋にポケットの付いている低コストのリップ付きポケット袋を提供する。【解決手段】リップ付きポケット袋部１にリップ部２、テープ部３、ポケット用シート部４、ポケットシール部５、溶着部６、７を設ける。リップ付きポケット袋部のフィルム１枚とポケットシール部を熱シール加工する事により、リップ付きポケット袋部にポケットが形成される。また、内容物の封入後にリップ部を折り返すことで、テープ部を用いて封をする事が可能になる。【選択図】図２
0003216627.tif 000002
【実用新案登録請求の範囲】
【請求項１】
リップ付きポケット袋部１において、リップ付きポケット袋部１にリップ部２、テープ部３、ポケット用シート部４、ポケットシール部５、溶着部６、溶着部７を設けたことを特徴とするリップ付きポケット袋。
【考案の詳細な説明】
【技術分野】
【０００１】  本考案は、ポリエチレンフィルムを熱溶着させて形成したリップ付き袋の中央部に１枚のシートを取り付け、リップ付き袋にポケットを設ける事を目的としたリップ付きポケット袋に関する物である。
【背景技術】
【０００２】  従来、リップ付き袋にポケットが一体化した袋は無く、リップ付き袋単体で使用するかポケット部分を別に作成し、リップ付き袋とポケットを両面テープ等で貼り合わせ使用していた。上記で挙げたリップ付き袋とポケットは、別々で製造する製造コスト、貼り付ける手加工コスト等があり、価格面で一般消費者にかなり負担になっていた。そこで、本考案はリップ付き袋を作る工程でポケットを付ける事を可能にした、リップ付きポケット袋を提案するものである。
【非特許文献１】
【０００３】  そこでコストを抑えたリップ付き袋とポケットを一体化した袋の製造が望まれていた。
【考案の開示】
【考案が解決しようとする課題】
【０００４】  解決しようとする課題は、従来ポリエチレンフィルムで製造したリップ付き袋には、ポケットを付ける事が出来ず、生産コスト面、及び価格面で加工業者、一般消費者にかなり負担がかかり、リップ付き袋などに封入し販売されている文具用品等の価格面での折り合いがつかず、一般消費者への負担となることがあった。【０００５】  そこで、低価格でリップ付き袋にポケット部を設けた袋の開発が望まれていた。上記の課題を解決する為に本考案のリップ付きポケット袋は、ポリエチレンフィルムを材料として用い平面加工にて熱溶着することでリップ付き袋を形成させ、リップ付き袋を形成する過程でポリエチレンフィルムのシートを同時に使用し、リップ付き袋とシートの両サイドを熱溶着させ、熱溶着されていないシート部分にポケット部分を設ける事により、リップ付き袋を製造する工程でポケットの付いたリップ付きポケット袋を形成する。
【課題を解決するための手段】
【０００６】  リップ付きポケット袋１において、リップ付きポケット袋部１にリップ部２、テープ部３、ポケット用シート部４、ポケットシール部５、溶着部６、溶着部７を設ける。
以上の様に構成されたリップ付きポケット袋である。【０００７】  またリップ付きポケット袋部１の袋の内側にポケット用シート部４を取り付けると内ポケットが形成され、リップ付きポケット袋部１の袋の外側にポケット用シート部４を取り付けると外ポケットが形成され、用途に応じたリップ付きポケット袋が形成される。
【考案の効果】
【０００８】  以上説明した考案によれば、リップ付き袋にポケットを付ける事が可能になった為、セット作業場での手間、紙の台紙を使用することが無くなった為、コスト面で一般消費者に低価格で提供することが可能になった。
【考案を実施するための最良の形態】
【０００９】  以下、図を用いて本考案の実施の形態を説明する。
図１は、本考案の表面図を表した物である。
リップ付きポケット袋部１において、リップ付きポケット袋部１にリップ部２、テープ部３、ポケット用シート部４、ポケットシール部５、溶着部６、溶着部７、を設ける。リップ付きポケット袋部１にリップ部２、テープ部３を設ける事により、内容物の封入後にリップ部２を折り返すことで、テープ部３を用いて封をする事が可能になる。【００１０】  リップ付きポケット袋部１のフィルムとフィルムの間にポケット用シート部４を入れる事により、ポケットを製造する為の土台を形成する。リップ付きポケット袋部１のフィルム１枚とポケット用シール部４にポケットシール部５を設け熱シール加工する事により、リップ付きポケット袋部１にポケットが形成される。【００１２】  図３、図４は本考案の断面図を表した物である。
図３の様にリップ付きポケット袋部１の内側にポケット用シート部４を形成する事により袋の内側にポケットが形成され、図４の様にリップ付きポケット袋部１の外側にポケット用シート部４を形成する事により袋の外側にポケットを形成する事が可能になる。
【図面の簡単な説明】
【００１３】
【図１】  本考案の表面図である。
【図２】  本考案の斜視図を表した図である。
【図３】  本考案の内側ポケットの断面図を表した図である。
【図４】  本考案の外側ポケットの断面図を表した図である。
【図５】  本考案の展開図を表した図である。
【符号の説明】
【００１４】  １    チャック付きポケット袋部
２    リップ部
３    テープ部
４    ポケット用シート部
５    ポケットシール部
６    溶着部
７    溶着部
【図１】
0003216627.tif 000003
【図２】
0003216627.tif 000004
【図３】
0003216627.tif 000005
【図４】
0003216627.tif 000006
【図５】
0003216627.tif 000007
【手続補正書】
【提出日】平成30年3月14日(2018.3.14)
【手続補正１】
【補正対象書類名】実用新案登録請求の範囲
【補正対象項目名】全文
【補正方法】変更
【補正の内容】
【実用新案登録請求の範囲】
【請求項１】
リップ付きポケット袋部１において、リップ付きポケット袋部１にリップ部２、テープ部３、ポケット用シート部４を設け、リップ部２にテープ部３を設け、リップ部２のシート１枚とポケット用シート部４にポケットシール部４を設け、リップ付きポケット袋部１の両側に溶着部６、溶着部７を設けたことを特徴とするリップ付きポケット袋。
【手続補正２】
【補正対象書類名】明細書
【補正対象項目名】全文
【補正方法】変更
【補正の内容】
【考案の詳細な説明】
【技術分野】
【０００１】  本考案は、ポリエチレンフィルムを熱溶着させて形成したリップ付き袋の中央部に１枚のシートを取り付け、リップ付き袋にポケットを設ける事を目的としたリップ付きポケット袋に関する物である。
【背景技術】
【０００２】  従来、リップ付き袋にポケットが一体化した袋は無く、リップ付き袋単体で使用するかポケット部分を別に作成し、リップ付き袋とポケットを両面テープ等で貼り合わせ使用していた。上記で挙げたリップ付き袋とポケットは、別々で製造する製造コスト、貼り付ける手加工コスト等があり、価格面で一般消費者にかなり負担になっていた。そこで、本考案はリップ付き袋を作る工程でポケットを付ける事を可能にした、リップ付きポケット袋を提案するものである。
【非特許文献１】
【０００３】  そこでコストを抑えたリップ付き袋とポケットを一体化した袋の製造が望まれていた。
【考案の開示】
【考案が解決しようとする課題】
【０００４】  解決しようとする課題は、従来ポリエチレンフィルムで製造したリップ付き袋には、ポケットを付ける事が出来ず、生産コスト面、及び価格面で加工業者、一般消費者にかなり負担がかかり、リップ付き袋などに封入し販売されている文具用品等の価格面での折り合いがつかず、一般消費者への負担となることがあった。【０００５】  そこで、低価格でリップ付き袋にポケット部を設けた袋の開発が望まれていた。上記の課題を解決する為に本考案のリップ付きポケット袋は、ポリエチレンフィルムを材料として用い平面加工にて熱溶着することでリップ付き袋を形成させ、リップ付き袋を形成する過程でポリエチレンフィルムのシートを同時に使用し、リップ付き袋とシートの両サイドを熱溶着させ、熱溶着されていないシート部分にポケット部分を設ける事により、リップ付き袋を製造する工程でポケットの付いたリップ付きポケット袋を形成する。
【課題を解決するための手段】
【０００６】  リップ付きポケット袋１において、リップ付きポケット袋部１にリップ部２、テープ部３、ポケット用シート部４、ポケットシール部５、溶着部６、溶着部７を設ける。
以上の様に構成されたリップ付きポケット袋である。【０００７】  またリップ付きポケット袋部１の袋の内側にポケット用シート部４を取り付けると内ポケットが形成され、リップ付きポケット袋部１の袋の外側にポケット用シート部４を取り付けると外ポケットが形成され、用途に応じたリップ付きポケット袋が形成される。
【考案の効果】
【０００８】  以上説明した考案によれば、リップ付き袋にポケットを付ける事が可能に  なった為、セット作業場での手間、紙の台紙を使用することが無くなった為、コスト面で一般消費者に低価格で提供することが可能になった。
【考案を実施するための最良の形態】
【０００９】  図を用いて本考案の実施の形態を説明する。
図は、本考案の表面図を表した物である。
リップ付きポケット袋部１において、リップ付きポケット袋部１にリップ部２、テープ部３、ポケット用シート部４を設けることにより、リップ付きポケット袋を形成する。図３、図４は本考案の断面図である。ポケットシート部４を図３の様に内側に設置した場合は袋の内ポケット、図４の様にポケットシート部４を外側に設置した場合は、袋の外ポケットとなるリップ付きポケット袋を形成することが可能になります。図３、図４の断面図の
示すようにリップ付きポケット袋１のリップ部２側のシートとポケットシート部４の２枚のシートを熱溶着することにより、図１の示すようなポケットを形成することが可能になります。【００１０】  図１のリップ付きポケット袋を形成する為には、袋の両脇、溶着部６、溶着部７を熱溶着させることによりリップ付きポケット袋の袋としての機能を満たす。上記の別々に熱溶着をした製品は、従来通りの袋の機能とポケットの２つの機能を持った袋になります。【００１１】  図１は、本考案の表面図を表した物である。
リップ付きポケット袋部１においてリップ付きポケット袋部１にリップ部２、テープ部３を設け、リップ部２にテープ部３を設けることにより、内容物の封入後にリップ部２を折り返すことで、テープ部３を用いて封をする事が可能になる。
【図面の簡単な説明】
【００１２】
【図１】  本考案の表面図である。
【図２】  本考案の斜視図を表した図である。
【図３】  本考案の内側ポケットの断面図を表した図である。
【図４】  本考案の外側ポケットの断面図を表した図である。
【図５】  本考案の展開図を表した図である。
【符号の説明】
【００１３】  １リップ付きポケット袋部
２リップ部
３テープ部
４ポケット用シート部
５ポケットシール部
６溶着部
７溶着部